(57)【特許請求の範囲】
【請求項１】
ネット目Ｎを有するネット編地３を付き合わせた各端部間にスライドファスナ１を取り付けて開閉部３Ａを形成した防獣ネットＡであって、
スライドファスナ１のスライドテープ１１に連結用基布２を設け、該連結用基布２にネット編地３を取り付けてなり、
連結用基布２は、長手方向両端部及び真ん中にある編成又は織成による平面状の縦畝部Ｗ１と、該縦畝部Ｗ１を連結する編成又は織成による横畝部Ｗ２とからなり、
縦畝部Ｗ１及び横畝部Ｗ２により多数の格子状穴部２１が形成され、
前記真ん中にある平面状の縦畝部Ｗ１を中空部２２が形成されるように筒状に折り返して、前記両端部の縦畝部Ｗ１間にスライドテープ１１を挟むようにして縫着してなる
ことを特徴とする防獣ネットＡ。
【請求項２】
連結ロープを連結用基布２の中空部２２と格子状穴部２１、及びネット編地３のネット目Ｎに通して、連結用基布２とネット編地３を取り付けるものであることを特徴とする請求項１記載の防獣ネットＡ。
【請求項３】
連結シャフトＳを連結用基布２の中空部２２とネット編地３のネット目Ｎに通して、連結用基布２とネット編地３を取り付けるものであることを特徴とする請求項１記載の防獣ネットＡ。  
【発明の詳細な説明】
【技術分野】
【０００１】
本発明は、ネット目Ｎを有する防獣機能の優れた防獣ネットＡに関し、更に詳しくは、出入り口等に使える開閉部３Ａを備えた防獣用ネットに関する。
【背景技術】
【０００２】
現在、生態系の変化からか、農業や林業において、猿、熊、猪等の獣類が田畑の作物を荒らす被害が多くなってきている。
自然の破壊により森林が減る傾向があることから、今後もこのような害獣による被害は増えるものと考えられる。
一方、このような獣類からの被害を防止するため、野猿、猪などの害獣が田畑区域に侵入することを阻止する手段が取られている。
例えば、田畑区内に害獣が侵入するのを防ぐため、その境界部に防獣ネットＡを設置する対策がある（特許文献１、特許文献２、特許文献３参照）。
この防獣ネットＡの多くは、ネット網地と支持枠とよりなり該ネット網地を地面に起立させた支持枠に張設して施工するものである。
【０００３】
防獣ネットＡが田畑区の境界部に設けられている場合、害獣が近寄って来てネット網のネット目Ｎに脚足（蹄）を挿入するとその害獣の脚足は一時的にネット網に拘束される。
何れは拘束を外し逃げ出すこととなるような短い時間の拘束であっても、一度、足を拘束された害獣は、その特殊な経験を記憶に残すため、以後、防獣ネットＡに近寄らない。
もっとも、ネット目Ｎに入った脚足が抜け出せない場合は、その害獣の捕獲も可能となる。
防獣ネットＡは、このような経験心理を応用したものである。
【０００４】
ところで、このような防獣ネットＡは、通常、害獣の侵入対象となる一定範囲の地域に渡って連続して立設されている。
そして防獣ネットＡには作業者が防獣領域内に出入りする際に使用するための出入り口Ａ１（いわゆるゲート）が設けられている。
【０００５】
例えば、柵で矩形の枠を作り、この矩形枠にネット網を張り付けてドア部とし、該ドア部を地面に立てた支柱に蝶着部を介して回動自在に取り付ける（特許文献４参照）。
このドア部の支柱を支点に回動させることにより、出入り口Ａ１が確保できるものである。
しかしドア部を作る場合に、嵩張って重い枠や支柱や、或いは蝶着具等の部品を使用するため手数がかかり、且つコストも高くなる。
更に、雨に濡れて枠が水を含むようになるとドア部自体が更に重くなり開閉が面倒である。
また錆等が蝶着具に発生すると開閉がスムーズにいかない。
【０００６】
また、ドア部の前に障害物があると、当然、開閉できない。
例えば、下方に草や木が少しでも生えてくるとそれが支障となって回動できず開けられないのである。
一方、施工中、或いは完成後にも現場で異なった位置に出入り口Ａ１が必要となることがある。しかし、前述のように枠や支柱を使って施工現場で緊急にドア部を作ることは作業上、極めて困難であった。
【先行技術文献】
【特許文献】
【０００７】
【特許文献１】特開２０００−９３０６６号公報
【特許文献２】特開２００９−２２２４０号公報
【特許文献３】特開２００８−３０６９４０号公報
【特許文献４】特開平１１−２０６３０５号公報
【発明の概要】
【発明が解決しようとする課題】
【０００８】
本発明は上記の事情を背景になされたものである。
すなわち本発明の目的は、従来のような防獣ネットＡの問題点を解決し、簡単に出入り口Ａ１等の開閉部３Ａを形成できる防獣ネットＡを提供することである。
【課題を解決するための手段】
【０００９】
本発明者は、上記課題を解決するため鋭意検討したところ、防獣ネットＡにスライドファスナ１を使うことにより、簡単に開閉部３Ａを形成することができる点を見出し、この知見により本発明を考えたものである。
【００１０】
すなわち、本発明は、（１）、ネット目Ｎを有するネット編地３を付き合わせた各端部間にスライドファスナ１を取り付けて開閉部３Ａを形成した防獣ネットＡであって、スライドファスナ１のスライドテープ１１に連結用基布２を設け、該連結用基布２にネット編地３を取り付けてなり、連結用基布２は、長手方向両端部及び真ん中にある編成又は織成による平面状の縦畝部Ｗ１と、該縦畝部Ｗ１を連結する編成又は織成による横畝部Ｗ２とからなり、縦畝部Ｗ１及び横畝部Ｗ２により多数の格子状穴部２１が形成され、前記真ん中にある平面状の縦畝部Ｗ１を中空部２２が形成されるように筒状に折り返して、前記両端部の縦畝部Ｗ１間にスライドテープ１１を挟むようにして縫着してなる防獣ネットＡに存する。  
【００１５】
即ち、本発明は、（２）は、連結ロープを連結用基布２の中空部２２と格子状穴部２１、及びネット編地３のネット目Ｎに通して、連結用基布２とネット編地３を取り付けるものである上記（１）記載の防獣ネットＡに存する。
【００１６】
即ち、本発明は、（３）は、連結シャフトＳを連結用基布２の中空部２２とネット編地３のネット目Ｎに通して、連結用基布２とネット編地３を取り付けるものである上記(１)記載の防獣ネットＡに存する。
【００１７】
なお、本発明の目的に沿ったものであれば、上記（１）から（３）を適宜組み合わせた構成も採用可能である。
【発明の効果】
【００１８】
本発明の防獣ネットＡは、ネット目Ｎを有するネット編地３よりなる防獣ネットＡであって、ネット編地３を付き合わせた各端部間にスライドファスナ１を取り付けて開閉部３Ａを形成したので、開閉部３Ａの開閉が極めて容易に行える。
しかも、現場でも、簡単に出入り口Ａ１等の開閉部３Ａを作ることができる。
開閉部３Ａにより出入り口Ａ１を作った場合、筒状の連結用基布２の曲げ対抗力によりスライドテープ１１も同様に曲げ対抗力を備えることとなり、いわゆる「腰」が発揮されるので、枠取りに剛性ができ曲がりにくい。
また作る際も連結用基布２（スライドファスナ１に取り付けられている）にネット編地３を取り付けやすい。
【図面の簡単な説明】
【００１９】
【図１】図１は、防獣ネットＡを支持枠に取り付けた状態の防獣ネットＡの例を示す概略図であり、（Ａ）は、スライドファスナ１を開く前を示し、（Ｂ）は、スライドファスナ１を開いた後を示す。
【図２】図２は、連結用基布２を設けたスライドファスナ１の一部を開いた状態を概略的に示す図である。
【図３】図３は、縦畝部Ｗ１と縦畝部Ｗ１とを連結する横畝部Ｗ２とよりなる連結用基布２を概略的に示す図である。
【図４】図４は、連結用基布２を筒状に折り返した状態を概略的に示す図である。
【図５】図５は、スライドファスナ１のスライドテープ１１に、筒状になった連結用基布２が縫着された状態を概略的に示す。
【図６】図６は、図５におけるＡ−Ａ断面を拡大して示した概略図である。
【図７】図７は、連結ロープＲを使って連結用基布２とネット編地３とを取り付ける方法の例を示す説明図である。
【図８】、図８は、連結シャフトＳを使って連結用基布２とネット編地３とを取り付ける方法を示す説明図である。
【図９】図９は、連結ロープＲ又は連結シャフトＳを使って連結用基布２とネット編地３とを取り付ける別の方法の例を示す説明図である。
【図１０】図１０は、開閉部３Ａを用いて形状の異なった出入り口Ａ１を形成した例を概略的に示す図である。
【発明を実施するための形態】
【００２０】
以下、必要に応じて図面を参照しつつ、本発明の好適な実施形態について詳細に説明する。
【００２１】
（第１の実施の形態）
本発明の防獣ネットＡは、ネット目Ｎを有するネット編地３よりなる防獣ネットＡである。
ネット編地３の端部と端部の突き合わせ間にスライドファスナ１を取り付けて出入り口などの開閉部３Ａを形成する。
【００２２】
図１は、防獣ネットＡを支持枠に取り付けた状態の防獣ネットＡを示す概略図である。
図１（Ａ）は、スライドファスナ１を開く前を示し、図１（Ｂ）は、スライドファスナ１を開いた後を示す。
この防獣ネットＡは、地面に起立させた支持枠に矩形のネット編地３を張設したものである。
ネット編地３としては、例えば、ラッセル網、有結節網、無結節網があり、支柱に、通常、ロープを使って取り付けられている。
ネット編地３には、出入り口Ａ１（すなわちゲート）として使える開閉部３Ａが設けられており、この開閉部３Ａを開くことによって出入り口Ａ１が確保される。
すなわちスライドファスナ１を閉じた状態〔図１（Ａ）〕から単に開くことによって簡単に出入り口Ａ１が形成される〔図１（Ｂ）〕。
【００２３】
なお、図１（Ｂ）は、開閉部３Ａが開いて出入り口Ａ１ができた状態を示すが、スライドファスナ１のスライドテープ１１を手前側と奥行き側に開くことにより大きな出入り口Ａ１が形成される。
この出入り口Ａ１から必要な時に自由に作業者が出入りすることができる。
そして不要な時は、単にスライドファスナ１を開いた状態〔図１（Ｂ）〕から閉じることによって簡単に出入り口Ａ１がなくなる〔図１（Ａ）〕。
このように出入り口Ａ１は、スライダ１２を単に平面状に上下に動かして、スライドファスナ１によって開閉が極めて容易に行えるので、ドア部を形成する柵枠等を全く使用する必要がない。
そのため極めて軽い上、回動する動きがないため、前に障害物があっても開閉でき、大きなスペースを必要としない。
この開閉部について以下詳しく述べる。
【００２４】
図２は、連結用基布２を設けたスライドファスナ１の一部を開いた状態を概略的に示す図である。
ネット編地３（図示しない）の開閉を必要とする部分（出入り口Ａ１等）において、一方のネット編地３の端部と他方のネット編地３の端部との間に、スライドファスナ１が設けられている。
詳しくは、一方のネット編地３の端部と他方のネット編地３の端部とに、各連結用基布２を介してそれぞれスライドファスナ１のスライドテープ１１が設けられている。
ここで、まず、連結用基布２としては、編機の編成や織機の織成により製造される基布が採用されるが、編成により製造される基布が好ましい。
【００２５】
この連結用基布２は、図３に示すように、縦畝部Ｗ１とこの縦畝部Ｗ１とを連結する横畝部Ｗ２とよりなり、それら各畝部によって形成される多数の格子状穴部２１を有する。
なお、縦畝部Ｗ１と縦畝部Ｗ１とは布組織として一体化されている。
【００２６】
そして、図４に示すように、この連結用基布２は折り返されて、後述するように、その端部がスライドテープ１１を挟むようにして添い合わされ、その各端部がスライドテープ１１に縫着される。
連結用基布２が筒状に折り返されるため、真ん中にある平面状の縦畝部Ｗ１が曲げられてカーブしている状態にある。
また、連結用基布２は筒状に折り返されていることにより縦畝部Ｗ１の方向に中空部２２が形成されており、この中空部２２が防獣ネットＡとして有効な機能をもつ。
【００２７】
図５は、スライドファスナ１のスライドテープ１１に、筒状になった連結用基布２が縫着された状態を示す（縫い目は省略）。
詳しくは、スライドテープ１１の端部に対して連結用基布２の端部が縫い糸により一定強度をもって縫着されている。
このような状態では、スライドテープ１１に沿って中空部２２を有する連結用基布２が添着されているともいえる。
【００２８】
図６は、図５におけるＡ−Ａ断面を拡大して示した概略図であるが、スライドテープ１１の端部を連結用基布２の両端部で挟むようにして縫着していることが理解できる。
ところで、連結用基布２とネット編地３とを相互に取り付ける方法には、この中空部２２と格子状穴部２１を利用した方法があるが、その幾つかを示す。
【００２９】
図７は、連結ロープＲを使って連結用基布２とネット編地３とを取り付ける方法の例を示す説明図である。
連結用基布２には中空部２２が形成されているので、この中空部２２に連結ロープＲを通す。
そして連結ロープＲを通した後に、格子状穴部２１から外に引き出し、今度はネット編地３を掬って連結ロープＲをそのネット目Ｎに通す。
その後、連結ロープＲをネット編地３を引き込みながら、また格子状穴部２１を介して中空部２２に通し直す。
そして連結ロープＲを格子状穴部２１から外に引き出し、またネット目Ｎに通し、ネット編地３を引き込みながら、また格子状穴部２１を介して中空部２２に通す。
以下これを繰り返すのである。
【００３０】
このように、連結用基布２は、格子状穴部２１を備えるので、この格子状穴部２１からネット編地３を引き入れながら、連結ロープＲをネット目Ｎに通していくことができる。
そうするとスライドファスナ１は連結ロープＲにより連結用基布２を介してネット編地３と一定長さに渡って連結されることとなる。
一方の連結用基布側にネット編地３の端部が取り付けられたら、他方の連結用基布側に他方のネット編地３の端部が取り付けられる。
これでスライドファスナ１を介してネット編地３の端部同士が連結されたことになる。
単にロープを挿通させる手順だけで連結用基布２とネット編地３が連結できるので、熟練者でなくても容易に行える。
【００３１】
本発明の防獣ネットＡにおいては、連結用基布２と一体となったスライドファスナ１さえ用意すればネット編地３に対してそれが容易に取り付けられ、開閉部３Ａをどの位置にでも簡単に作ることができる。
すなわち、開閉部３Ａの作り方は、まず起立状態にあるネット編地３の所定の部分に対し、切り目を入れて分断する。
その後、連結用基布２と一体となったスライドファスナ１を、ネット編地３に取り付ける。
詳しくは、スライドテープ１１の端部をネット編地３の端部に取り付けるのである。
その操作手順は、上述したように、連結ロープＲを格子状穴部２１、中空部２２、ネット目Ｎと順次通して連結していくこととなる。
【００３２】
なお筒状になった連結用基布２は、縦畝部Ｗ１や横畝部Ｗ２を備えて、中空部２２や格子状穴部２１を有するため、連結ロープＲの通し方に自由度があるが、これについては後述する。
【００３３】
一方、連結ロープＲを使わない例もあり、図８は、連結シャフトＳを使って連結用基布２とネット編地３とを取り付ける方法を示す説明図である。
連結シャフトＳは、前述した連結ロープＲと異なって屈曲しないため、多少操作が異なる。
筒状の連結用基布２には、中空部２２が形成されているので、この中空部２２に添って連結シャフトＳを挿入する。
そしてネット編地３を格子状穴部２１を介して引き入れてネット目Ｎに入れる。
以下、これを順次、繰り返していく。
【００３４】
このように、連結用基布２には、格子状穴部２１があるので、この穴からネット編地３を引き入れながら、連結シャフトＳをネット目Ｎに通していくことができる。
このようにして、一本の連結シャフトＳによりスライドファスナ１は連結用基布２を介してネット編地３と一定長さに渡って連結されることとなる。
次に、一方の連結用基布側にネット編地３の端部が取り付けられたら、他方の連結用基布側に他方のネット編地３の端部が取り付けられる。
これでスライドファスナ１を介してネット編地３の端部同士が連結されたことになる。
単に連結シャフトＳを挿通するだけで連結できるので、熟練者でなくても簡単に操作が行えるため極めて便利である。
【００３５】
ところで、図７及び図８で説明したような連結ロープＲや連結シャフトＳを使って連結用基布２とネット編地３とを取り付ける方法以外にも、いくつかの方法があるので、ここで示す。
【００３６】
図９は、連結ロープＲ又は連結シャフトＳを使って連結用基布２とネット編地３とを取り付ける別の方法を示す説明図である。
図９（Ａ）は、連結ロープＲ又は連結シャフトＳを横畝部Ｗ２によってできた中空部２２を、３つおきに通すことにより連結用基布２とネット編地３とを取り付けている例である。
この場合は、ネット編地３に動きの自由度が生じる。
図９（Ｂ）は、連結ロープＲ又は連結シャフトＳによりネット編地３を掬いながら、該編地を横畝部Ｗ２に押し付けるようにして連結用基布２とネット編地３とを取り付けている例である。
この場合は、ネット編地３の滑りが殆ど生じない。
【００３７】
以上述べた連結ロープＲを使った取り付け方法も、連結シャフトＳを使った取り付け方法も、連結用基布２と一体となったスライドファスナ１さえあれば、ネット編地３に容易に取り付けられ、開閉部３Ａを簡単に作ることができる点で極めて有用である。
【００３８】
また、この開閉部３Ａにより形成された出入り口Ａ１はスライダを引いて簡単にしかも確実に開閉できることから、従来のように支持柱や枠材等を使ったドア部に比べ、開閉操作が極めて楽である。
【００３９】
また本発明の防獣ネットＡは、スライドファスナ１のスライドテープ１１に中空部２２を備える筒状の連結用基布２（の端部）を設けているので、平面状の縦畝部Ｗ１が曲面となっている状態にある。
そのため筒状の連結用基布２（の端部）により曲げ対抗力（曲げ強度）が発揮され、スライドテープ１１も同様に曲げ対抗力を備えることとなる。
いわゆる「腰」が発揮されスライドファスナ１にネット編地３を取り付ける場合に取り付け操作がし易い。
【００４０】
また、開閉部３Ａにより出入り口Ａ１を作った場合、スライドファスナ１による枠取りに剛性ができて曲がりにくい。
【００４１】
一方、開閉部３Ａにスライドファスナ１を適用することにより、図１０に示すように、形状の異なった出入り口、例えば、図１０（Ａ）のような三角形状の出入り口や図１０（Ｂ）のような矩形の出入り口等が容易に作れる。
特に後者の矩形の出入り口Ａ１を大きくすることで、車道を跨いで車両用のゲートとしても利用が可能である。
また、連結用基布２とネット編地３とを連結シャフトＳを使って取り付けた場合は、連結シャフトＳが支えとなるので、掴んで開閉操作することも可能である。
これらは、スライダを上下或いは水平方向に移動することにより、簡単に開閉部３Ａである、出入り口の開閉が行える。
【００４２】
以上、本発明の防獣ネットＡの実施の形態を例に説明したが、本発明は要旨の変更のない限り、実施の形態、実施例にのみ限定されるものではなく多様な変形例が可能である。
【００４３】
防獣ネットＡのネット編のネット目Ｎは、編組織を変えることにより菱形の他、更に形を変えることは可能である。
また、例えば、防獣ネットＡの支持枠や支柱への取り付け方は防獣ネットＡ枠体の構造等により種々のものがある。また横桟の本数や形、それらの組み合わせにより、種々の防獣ネットＡが作れる。
【００４４】
防獣ネットＡの出入り口Ａ１をスライドファスナ１で開閉する以外にも、連結する防獣ネットＡ同士連結にも適用可能である。
【産業上の利用可能性】
【００４５】
本発明の防獣ネットＡの出入り口Ａ１をスライドファスナ１で開閉する以外にも、落下防止網、土砂崩れ防止網、河川法面形成材等の種々の産業用資材の網にも広く利用可能である。
【符号の説明】
【００４６】
１…スライドファスナ
１１…スライドテープ
１２…スライダ
１３…務歯
２…連結用基布
２１…格子状穴部
２２…中空部
３…ネット編地
３Ａ…開閉部
Ａ…防獣ネット
Ａ１…出入り口
Ｎ…ネット目
Ｒ…連結ロープ
Ｓ…連結シャフト
Ｗ１…縦畝部
Ｗ２… 横畝部
【図１】
0005791930.tif 000002
【図２】
0005791930.tif 000003
【図３】
0005791930.tif 000004
【図４】
0005791930.tif 000005
【図５】
0005791930.tif 000006
【図６】
0005791930.tif 000007
【図７】
0005791930.tif 000008
【図８】
0005791930.tif 000009
【図９】
0005791930.tif 000010
【図１０】
0005791930.tif 000011